(57)【要約】【課題】２Ｄまたは３Ｄ映像の表示態様を切換え可能な２Ｄ／３Ｄ映像切換え表示装置を提供する。【解決手段】映像表示部と、その表面に結合される映像切り換え部とを備える。映像切り換え部はさらに第１透明基板と、第２透明基板とを有し、表面にそれぞれ第１透明導電素子と、第２透明導電素子とを対向に設置し、第１透明基板と第２透明基板に電気変色層と電解質層とをそれぞれ設ける。【選択図】図１
2012003221.tif 000002
【特許請求の範囲】
【請求項１】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた第１透明基板と、
前記第１透明基板に対応する片表面には第２透明導電素子が設けられ、他の表面は前記映像表示部の表面に結合するに用いる第２透明基板と、
前記第２透明基板の表面に所定の間隔おきに配列され、前記第１透明導電素子と第２透明導電素子との電気導通によって色変化を起こす複数の電気変色層と、
前記電気変色層と前記第１透明基板との間に設ける電質層と、
を備えることを特徴とする、２Ｄ／３Ｄ映像切り替え表示装置。
【請求項２】
前記映像表示部はたとえば、液晶表示装置、プラズマディスプレイパネル、表面伝導電子エミッタディスプレイ、フィールドエミッションディスプレイ、真空蛍光表示装置、有機発光ダイオード表示装置または電子ペーパーのいずれであることを特徴とする請求項１記載の２Ｄ／３Ｄ映像切換え表示装置。
【請求項３】
前記第１透明基板と前記第２透明基板の部材はプラスチック、高分子プラスチック、ガラスまたは樹脂、ポリエチレンテレフタレート、ポリカーボネート、ポリエチレン、ポリ塩化ビニル、ポリプロピレン、ポリスチレン、ポリメタクリル酸メチルまたはこれらの混合物からなるプラスチック重合体のいずれかを選択できることを特徴とする請求項１記載の２Ｄ／３Ｄ映像切換え表示装置。
【請求項４】
前記電気変色層を前記第２透明基板に設置するときは、ゾルゲル法、真空スパッタリング法、電気めっき法、レーザー蝕刻法のいずれかを選択できることを特徴とする請求項１記載の２Ｄ／３Ｄ映像切換え表示装置。
【請求項５】
前記電気変色層の部材は、陽極変色、陰極変色、または陰／陽極変色より組み合わせるグループのいずれかを選択できることを特徴とする請求項１記載の２Ｄ／３Ｄ映像切換え表示装置。
【請求項６】
前記電気変色層の部材は、酸化クロム（Ｃr２Ｏ3）、ニッケル酸化物（ＮiＯx）、イリジウム酸化物（ＩrＯ2）、マンガン酸化物（ＭｎＯ2）、水酸化ニッケルＮi（ＯＨ）2、五酸化タンタル（Ｔa２Ｏ5）またはヘキサシアノ鉄ＩＩ酸鉄ＩＩＩ  Ｆｅ4[Ｆe（ＣＮ）6]3より組み合わせた陽極変色遷移金属元素酸化物グループのいずれかを選択できることを特徴とする請求項５記載の２Ｄ／３Ｄ映像切換え表示装置。
【請求項７】
前記電気変色層の部材は、酸化タングステン（ＷＯ3）、酸化モリブデン（ＭｏＯ3）、酸化ニオブ（Ｎb2Ｏ3）、酸化チタン（ＴｉＯ2）、チタン酸ストロンチウム（ＳｒＴｉＯ3）または五酸化タンタル（Ｔａ2Ｏ5）より組み合わせた陰極変色遷移金属元素酸化物グループのいずれかを選択できることを特徴とする請求項５記載の２Ｄ／３Ｄ映像切換え表示装置。
【請求項８】
前記電気変色層の部材は、酸化バナジウム（Ｖ2Ｏ5）、酸化ロジウム（Ｒｈ2Ｏ3）または酸化コバルト（ＣｏＯx）より組み合わせる陰／陽極変色遷移金属元素酸化物のいずれかを選択できることを特徴とする請求項５記載の２Ｄ／３Ｄ映像切換え表示装置。
【請求項９】
前記電解質層は液体状態の電解質または固体状態の電解質であることを特徴とする請求項１記載の２Ｄ／３Ｄ映像切換え表示装置。
【請求項１０】
前記電解質層は固体状態の電解質であり、イオノマー膜、有機／無機イオンハイブリッド膜または高分子とオキソ酸膜より組み合わせた水素イオン交換膜グループのいずれかを選択できることを特徴とする請求項９記載の２Ｄ／３Ｄ映像切換え表示装置。
【請求項１１】
前記電解質層の部材は水素イオン交換膜であり、ペルフルオロスルホン酸重合膜であることを特徴とする請求項１０記載の２Ｄ／３Ｄ映像切換え表示装置。
【請求項１２】
前記第１透明基板下部の表面はさらに前記電気変色層と同じ配列方向に、複数に間隔配列して前記第１透明導電素子を設け、配列方向は水平または垂直であることを特徴とする請求項１記載の２Ｄ／３Ｄ映像切換え表示装置。
【請求項１３】
前記第２透明基板上部の表面はさらに前記電気変色層と同じ配列方向に、複数に間隔配列して前記第２透明導電素子を設け、配列方向は水平または垂直であることを特徴とする請求項１記載の２Ｄ／３Ｄ映像切換え表示装置。
【請求項１４】
前記第１透明基板下部の表面はさらに、複数に間隔配列して前記第１透明導電素子を設け、前記第２透明基板上部の表面はさらに、複数に間隔配列して前記第２透明導電素子を設け、前記第１、第２透明導電素子は前記電気変色層と同じの配列方向であり、配列方向は水平または垂直であることを特徴とする請求項１記載の２Ｄ／３Ｄ映像切換え表示装置。
【請求項１５】
前記電解質層は複数に間隔配列して前記第１透明導電素子と前記電気変色層との間に設け、前記電気変色層と同じ方向に配列し、配列方向は水平または垂直であることを特徴とする請求項１記載の２Ｄ／３Ｄ映像切換え表示装置。
【請求項１６】
前記電気変色層は、陽極変色、陰極変色、または陰／陽極変色より組み合わせた遷移金属元素酸化物グループまたは有機化合物のいずれかを選択できることを特徴とする請求項１５記載の２Ｄ／３Ｄ映像切換え表示装置。
【請求項１７】
前記電気変色層の部材は、酸化クロム（Ｃｒ2Ｏ3）、ニッケル酸化物（ＮｉＯｘ）、イリジウム酸化物（ＩrＯ2）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆｅ4[Ｆe（ＣＮ）6]3より組み合わせた陽極変色遷移金属元素酸化物グループのいずれかを選択できることを特徴とする請求項１６記載の２Ｄ／３Ｄ映像切換え表示装置。
【請求項１８】
前記電気変色層の部材は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）または五酸化タンタル（Ｔａ2Ｏ5）より組み合わせた陰極変色遷移金属元素酸化物グループのいずれかを選択できることを特徴とする請求項１６記載の２Ｄ／３Ｄ映像切換え表示装置。
【請求項１９】
前記電気変色層の部材は、酸化バナジウム（Ｖ2Ｏ5）、酸化ロジウム（Ｒｈ2Ｏ3）または酸化コバルト（ＣｏＯｘ）より組み合わせた陰／陽極変色遷移金属元素酸化物グループのいずれかを選択できることを特徴とする請求項１６記載の２Ｄ／３Ｄ映像切換え表示装置。
【請求項２０】
さらに、第1透明導電素子と電解質層との間に保護層を設け、前記保護層は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）その他炭素―ケイ素酸化フィルム等より選択されることを特徴とする請求項１記載の２Ｄ／３Ｄ映像切換え表示装置。
【請求項２１】
さらに、複数の前記電気変色層と電解質層との間に保護層を設けられ前記保護層は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）その他炭素―ケイ素酸化フィルム等より選択されることを特徴とする請求項１記載の２Ｄ／３Ｄ映像切換え表示装置。
【請求項２２】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた第１透明基板と、
前記第２透明基板に対応する片表面には第２透明導電素子が設けられ、他の表面は前記映像表示部の表面に結合するに用いる前記第２透明基板と、
前記第１透明基板下部の表面に所定の間隔おきに配列された、前記第１、第２透明導電素子の電気導通によって色変化を引き起こす複数の電気変色層と、
前記電気変色層と前記第２透明基板との間に設ける電質層と、
を備えることを特徴とする、２Ｄ／３Ｄ映像切り替え表示装置。
【請求項２３】
前記映像表示部はたとえば、液晶表示装置、プラズマディスプレイパネル、表面伝導電子エミッタディスプレイ、フィールドエミッションディスプレイ、真空蛍光表示装置、有機発光ダイオード表示装置または電子ペーパーのいずれであることを特徴とする請求項２２記載の２Ｄ／３Ｄ映像切換え表示装置。
【請求項２４】
前記第１透明基板と前記第２透明基板の部材はプラスチック、高分子プラスチック、ガラスまたは樹脂、ポリエチレンテレフタレート、ポリカーボネート、ポリエチレン、ポリ塩化ビニル、ポリプロピレン、ポリスチレン、ポリメタクリル酸メチルまたはこれらの混合物からなるプラスチック重合体のいずれかを選択できることを特徴とする請求項２２記載の２Ｄ／３Ｄ映像切換え表示装置。
【請求項２５】
前記電気変色層を前記第１透明基板に設置するときは、ゾルゲル法、真空スパッタリング法、電気めっき法、レーザー蝕刻法のいずれかを選択できることを特徴とする請求項２２記載の２Ｄ／３Ｄ映像切換え表示装置。
【請求項２６】
前記電気変色層の部材は、陽極変色、陰極変色または、陰／陽極変色より組み合わせた遷移金属元素酸化物グループまたは有機化合物のいずれかを選択できることを特徴とする請求項２２記載の２Ｄ／３Ｄ映像切換え表示装置。
【請求項２７】
前記電気変色層の部材は、酸化クロム（Ｃｒ2Ｏ3）、ニッケル酸化物（ＮｉＯx）、イリジウム酸化物（ＩrＯ2）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆe4[Ｆｅ（ＣＮ）6]3より組み合わせた陽極変色遷移金属元素酸化物グループのいずれかを選択できることを特徴とする請求項２６記載の２Ｄ／３Ｄ映像切換え表示装置。
【請求項２８】
前記電気変色層の部材は、酸化タングステン（ＷＯ3）、酸化モリブデン（ＭｏＯ3）、酸化ニオブ（Ｎb２Ｏ3）、酸化チタン（ＴｉＯ2）、チタン酸ストロンチウム（ＳrＴｉＯ3）または五酸化タンタル（Ｔａ2Ｏ5）より組み合わせた陰極変色遷移金属元素酸化物グループのいずれかを選択できることを特徴とする請求項２６記載の２Ｄ／３Ｄ映像切換え表示装置。
【請求項２９】
前記電気変色層の部材は、酸化バナジウム（Ｖ2Ｏ2）、酸化ロジウム（Ｒｈ2Ｏ3）または酸化コバルト（ＣoＯｘ）より組み合わせた陰／陽極変色遷移金属元素酸化物のいずれかを選択できることを特徴とする請求項２６記載の２Ｄ／３Ｄ映像切換え表示装置。
【請求項３０】
前記電解質層は液体状態の電解質または固体状態の電解質であることを特徴とする請求項２２記載の２Ｄ／３Ｄ映像切換え表示装置。
【請求項３１】
前記電解質層は固体状態の電解質であり、イオノマー膜、有機／無機イオンハイブリッド膜または高分子とオキソ酸膜より組み合わせた水素イオン交換膜グループのいずれかを選択できることを特徴とする請求項３０記載の２Ｄ／３Ｄ映像切換え表示装置。
【請求項３２】
前記電解質層の部材は水素イオン交換膜であり、ペルフルオロスルホン酸重合膜であることを特徴とする請求項３１記載の２Ｄ／３Ｄ映像切換え表示装置。
【請求項３３】
前記第１透明基板下部の表面はさらに、前記電気変色層と同じ配列方向により、複数に間隔配列して前記第１透明導電素子を設け、配列方向は水平または垂直であることを特徴とする請求項２２記載の２Ｄ／３Ｄ映像切換え表示装置。
【請求項３４】
前記第２透明基板上部の表面はさらに、前記電気変色層と同じ配列方向により、複数に間隔配列して前記第２透明導電素子を設け、配列方向は水平または垂直であることを特徴とする請求項２２記載の２Ｄ／３Ｄ映像切換え表示装置。
【請求項３５】
前記第１透明導電素子はさらに複数に間隔配列して前記第１透明基板下部の表面に設け、前記第２透明導電素子はさらに複数に間隔配列して前記第２透明基板の上部の表面を設け、前記第１、第２透明導電素子は前記電気変色層と同じの配列方向であり、配列方向は水平または垂直であることを特徴とする請求項２２記載の２Ｄ／３Ｄ映像切換え表示装置。
【請求項３６】
前記電解質層は複数に間隔配列して前記第２透明導電素子と前記電気変色層との間に設け、かつ前記電気変色層と同じ方向に配列し、配列方向は水平または垂直であることを特徴とする請求項２２記載の２Ｄ／３Ｄ映像切換え表示装置。
【請求項３７】
前記電解質層は電気変色層であっても良い、陽極変色、陰極変色または陰／陽極変色より組み合わせた遷移金属元素酸化物グループまたは有機化合物のいずれかを選択できることを特徴とする請求項３６記載の２Ｄ／３Ｄ映像切換え表示装置。
【請求項３８】
前記電気変色層の部材は、酸化クロム（Ｃｒ2Ｏ3）、ニッケル酸化物（ＮｉＯｘ）、イリジウム酸化物（ＩｒＯ２）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆｅ4[Ｆｅ（ＣＮ）6]より組み合わせた陽極変色遷移金属元素酸化物グループのいずれかを選択できることを特徴とする請求項３７記載の２Ｄ／３Ｄ映像切換え表示装置。
【請求項３９】
前記電気変色層の部材は、酸化タングステン（ＷＯ3）、酸化モリブデン（ＭｏＯ3）、酸化ニオブ（Ｎｂ２Ｏ3）、酸化チタン（ＴｉＯ2）、チタン酸ストロンチウム（ＳrＴｉＯ3）または五酸化タンタル（Ｔａ2Ｏ5）より組み合わせた陰極変色遷移金属元素酸化物グループのいずれかを選択できることを特徴とする請求項３７記載の２Ｄ／３Ｄ映像切換え表示装置。
【請求項４０】
前記電気変色層の部材は、酸化バナジウム（Ｖ2Ｏ2）、酸化ロジウム（Ｒｈ2Ｏ3）または酸化コバルト（ＣｏＯｘ）より組み合わせた陰／陽極変色遷移金属元素酸化物のいずれかを選択できることを特徴とする請求項３７記載の２Ｄ／３Ｄ映像切換え表示装置。
【請求項４１】
さらに、前記第2透明導電素子と前記電解質層との間に前記保護層を設け、前記保護層の部材は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）を含む炭素―ケイ素酸化フィルムであることを特徴とする請求項２２記載の２Ｄ／３Ｄ映像切換え表示装置。
【請求項４２】
複数の前記電気変色層と前記電解質層との間はさらに保護層を有し、前記保護層の部材は二酸化ケイ素（ＳｉＯ2）、酸化アルミニウム（Ａｌ2Ｏ3）、テトラメチルジシロキサン（Ｃ4Ｈ14ＯＳｉ2）またはその他炭素―ケイ素酸化層より選択されることを特徴とする請求項２２記載の２Ｄ／３Ｄ映像切換え表示装置。
【請求項４３】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた前記第１透明基板と、
前記第１透明基板に対応する片表面には第２透明導電素子が設けられ、他の表面は前記映像表示部の表面に結合するに用いる第２透明基板と、
前記第１透明基板下部の表面に所定の間隔おきに配列された複数の第１電気変色層と、
前記第１透明基板上部の表面に所定の間隔おきに配列された複数の第２電気変色層と、
前記第１電気変色層と前記第２電気変色層との間に設けられた電解質層とを備え、
前記第１電気変色層上部における当該第２電気変色層の配列方向は、当該第１電気変色層の配列方向を一致させ、並びに前記第１、２電気変色層は、前記第１、第２透明導電素子の電気導通によって色変化され、
前記電解質層は前記第１電気変色層と前記第２電気変色層との間に設けることを特徴とする、２Ｄ／３Ｄ映像切り換え表示装置。
【請求項４４】
前記映像表示部はたとえば、液晶表示装置、プラズマディスプレイパネル、表面伝導電子エミッタディスプレイ、フィールドエミッションディスプレイ、真空蛍光表示装置、有機発光ダイオード表示装置または電子ペーパーのいずれであることを特徴とする請求項４３記載の２Ｄ／３Ｄ映像切換え表示装置。
【請求項４５】
前記第１透明基板と前記第２透明基板の部材はプラスチック、高分子プラスチック、ガラスまたは樹脂、ポリエチレンテレフタレート、ポリカーボネート、ポリエチレン、ポリ塩化ビニル、ポリプロピレン、ポリスチレン、ポリメタクリル酸メチルまたはこれらの混合物からなるプラスチック重合体のいずれかを選択できることを特徴とする請求項４３記載の２Ｄ／３Ｄ映像切換え表示装置。
【請求項４６】
前記第１電気変色層を前記第１透明基板の下部表面に設置するときと、前記第２電気変色層を前記第２透明基板の上部表面に設置するときは、ゾルゲル法、真空スパッタリング法、電気めっき法、レーザー蝕刻法のいずれかを選択できることを特徴とする請求項４３記載の２Ｄ／３Ｄ映像切換え表示装置。
【請求項４７】
前記第１、第２電気変色層の部材は、陽極変色、陰極変色または陰／陽極変色より組み合わせた遷移金属元素酸化物グループまたは有機化合物のいずれかを選択できることを特徴とする請求項４３記載の２Ｄ／３Ｄ映像切換え表示装置。
【請求項４８】
前記第１、第２電気変色層の部材は、酸化クロム（Ｃｒ2Ｏ3）、ニッケル酸化物（ＮｉＯｘ）、イリジウム酸化物（ＩｒＯ2）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆｅ4[Ｆｅ（ＣＮ）6]より組み合わせた陽極変色遷移金属元素酸化物グループのいずれかを選択できることを特徴とする請求項４７記載の２Ｄ／３Ｄ映像切換え表示装置。
【請求項４９】
前記第１、第２電気変色層の部材は、酸化タングステン（ＷＯ3）、酸化モリブデン（ＭｏＯ3）、酸化ニオブ（Ｎb２Ｏ3）、酸化チタン（ＴｉＯ2）、チタン酸ストロンチウム（ＳrＴｉＯ3）または五酸化タンタル（Ｔａ2Ｏ5）より組み合わせた陰極変色遷移金属元素酸化物グループのいずれかを選択できることを特徴とする請求項４７記載の２Ｄ／３Ｄ映像切換え表示装置。
【請求項５０】
前記第１、第２電気変色層の部材は、酸化バナジウム（Ｖ2Ｏ5）、酸化ロジウム（Ｒｈ2Ｏ3）または酸化コバルト（ＣｏＯｘ）より組み合わせた陰／陽極変色遷移金属元素酸化物のいずれかを選択できることを特徴とする請求項４７記載の２Ｄ／３Ｄ映像切換え表示装置。
【請求項５１】
前記電解質層は液体状態の電解質または固体状態の電解質であることを特徴とする請求項４３記載の２Ｄ／３Ｄ映像切換え表示装置。
【請求項５２】
前記電解質層は固体状態の電解質であり、イオノマー膜、有機／無機イオンハイブリッド膜または高分子とオキソ酸膜より組み合わせた水素イオン交換膜グループのいずれかを選択できることを特徴とする請求項５１記載の２Ｄ／３Ｄ映像切換え表示装置。
【請求項５３】
前記電解質層の部材は水素イオン交換膜であり、ペルフルオロスルホン酸重合膜であることを特徴とする請求項５２記載の２Ｄ／３Ｄ映像切換え表示装置。
【請求項５４】
前記電解質層は、前記第１、第２電気変色層と同じ配列方向により、複数に間隔配列して前記前記第１、第２電気変色層の間に設け、配列方向は水平または垂直であることを特徴とする請求項４３記載の２Ｄ／３Ｄ映像切換え表示装置。
【請求項５５】
さらに、前記保護層を有し、前記保護層の部材は二酸化ケイ素（ＳｉＯ2）、酸化アルミニウム（Ａｌ2Ｏ3）、テトラメチルジシロキサン（Ｃ4Ｈ14ＯＳｉ2）、または前記第１導電素子と第1電解質層、および前記第2透明導電素子と前記第2電解質層の間に設ける炭素―ケイ素酸化フィルムであることを特徴とする請求項４３記載の２Ｄ／３Ｄ映像切換え表示装置。
【請求項５６】
さらに、前記保護層を有し、前記保護層の部材は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）、または複数の前記第１電気変色層と第1電解質層、および複数の前記電気変色層と前記第2電解質層の間に設ける炭素―ケイ素酸化フィルムであることを特徴とする請求項４３記載の２Ｄ／３Ｄ映像切換え表示装置。
【請求項５７】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた前記第１透明基板と、
前記第１透明基板に対応する片表面に第２透明導電素子を設けられ、他の表面は前記映像表示部の表面に結合するに用いる第２透明基板と、
第１配列方向向きに、前記第１透明基板下部の表面に所定の間隔おきに配列された複数の第１電気変色層と、
前記第１電気変色層の下部表面に設ける第１電質層と、
第２配列方向向きに、前記第２透明基板上部の表面に所定の間隔おきに配列された複数の第２電気変色層と、
前記第２電気変色層の上部表面に設ける第２電質層と、
前記第１電質層と前記第２電質層との間に設け、前記第１透明導電素子と前記第２透明導電素子とを導通された第３透明導電層と、を備え、
前記第１電気変色層は前記第１透明導電素子と前記第３透明導電層の電気導通によって、色変化を引き起し、前記第２電気変色層は第２透明導電素子と前記第３透明導電層の電気導通によって、色変化することを特徴とする、２Ｄ／３Ｄ映像切り換え表示装置。
【請求項５８】
前記第３透明導電層に第３透明基板を有し、前記第３透明基板の上部表面に第３透明導電素子を有することを特徴とする請求項５７記載の２Ｄ／３Ｄ映像切換え表示装置。
【請求項５９】
前記第３透明導電層に第３透明基板を有し、前記第３透明基板の下部表面に第３透明導電素子を有することを特徴とする請求項５７記載の２Ｄ／３Ｄ映像切換え表示装置。
【請求項６０】
前記第３透明導電層に第３透明基板を備え、前記第３透明基板の上部表面に第３透明導電素子を設けられ、前記第３透明基板の下部表面に第４透明導電素子を設けられ、前記第１電気変色層は前記第１透明導電素子によって前記第３透明導電素子と電気導通され変色を引き起し、前記第２電気変色層は前記第２透明導電素子によって前記第４透明導電素子と電気導通され変色を引き起こすことを特徴とする請求項５７記載の２Ｄ／３Ｄ映像切換え表示装置。
【請求項６１】
前記第１配列方向と前記第２配列方向は互いに垂直することを特徴とする請求項５７記載の２Ｄ／３Ｄ映像切換え表示装置。
【請求項６２】
前記第１電解質層は複数に間隔配列して、前記第１電気変色層と前記透明導通層との間に設け、前記第１電気変色層と同じ配列方向であることを特徴とする請求項５７記載の２Ｄ／３Ｄ映像切換え表示装置。
【請求項６３】
前記電解質層の部材は、陽極変色、陰極変色または陰／陽極変色より組み合わせる遷移金属元素酸化物または有機化合物のいずれかを選択できることを特徴とする請求項６２記載の２Ｄ／３Ｄ映像切換え表示装置。
【請求項６４】
前記第２電解質層は複数に間隔配列して、前記第２電気変色層と前記透明導通層との間に設け、前記第２電気変色層と同じ配列方向であることを特徴とする請求項５７記載の２Ｄ／３Ｄ映像切換え表示装置。
【請求項６５】
前記電解質層の部材は、陽極変色、陰極変色または陰／陽極変色より組み合わせた遷移金属元素酸化物グループまたは有機化合物のいずれかを選択できることを特徴とする請求項６４記載の２Ｄ／３Ｄ映像切換え表示装置。
【請求項６６】
センサー素子と制御素子とをさらに備え、前記センサー素子と前記制御素子は互いに電気導通され、前記制御素子はそれぞれ前記第１透明導電素子と、前記透明導電層と、前記第２透明導電素子とを電気導通され、前記センサー素子は前記表示装置の回転方向を検出し、検出信号を前記制御素子に伝送した後、前記制御素子によって前記２つの前記透明導電素子の電圧を切換え、前記第１電気変色層と前記第２電気変色層の状態を切り換えて変色させることを特徴とする請求項５７記載の２Ｄ／３Ｄ映像切換え表示装置。
【請求項６７】
前記センサー素子はジャイロスコープであることを特徴とする請求項６６記載の２Ｄ／３Ｄ映像切換え表示装置。
【請求項６８】
前記第１電気変色層が変色するときに、前記第２電気変色層は褪色され、前記第１電気変色層が褪色するときに、前記第２電気変色層は変色されることを特徴とする請求項５７記載の２Ｄ／３Ｄ映像切換え表示装置。
【請求項６９】
立体映像表示を平面映像表示に切り換えたとき、前記第１電気変色層と前記第２電気変色層とも褪色反応することを特徴とする請求項５７記載の２Ｄ／３Ｄ映像切換え表示装置。
【請求項７０】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた第１透明基板と、
前記第１透明基板に対応する片表面には第２透明導電素子が設けられ、他の表面は前記映像表示部の表面に結合するに用いる前記第２透明基板と、
前記第１透明基板の下部表面に設ける第１電解質層と、
第１方向により、前記第１電解質層下部の表面に所定の間隔おきに配列された複数の第１電気変色層と、
前記第２透明基板の上部表面に設ける第２電質層と、
第２配列方向により、前記第２電解質層下部の表面に所定の間隔おきに配列された複数の第２電気変色層と、
前記第１、第２電気変色層との間に設けられ、前記第１透明導電素子と前記第２透明導電素子とを電気導通された第３透明導電層と、を備え、
前記第１電気変色層は前記第１透明導電素子と、前記第３透明導電層との電気導通によって、色変化を引き起し、前記第２電気変色層は前記第２透明導電素子と前記第３透明導電層との電気導通によって、色変化することを特徴とする、２Ｄ／３Ｄ映像切り換え表示装置。
【請求項７１】
前記第３透明導電層に第３透明基板を備え、前記第３透明基板の上部表面に前記第３透明導電素子を設けることを特徴とする請求項７０記載の２Ｄ／３Ｄ映像切換え表示装置。
【請求項７２】
前記第３透明導電層に第３透明基板を設け、前記第３透明基板の下部表面に前記第３透明導電素子を設けることを特徴とする請求項７０記載の２Ｄ／３Ｄ映像切換え表示装置。
【請求項７３】
前記第３透明導電層に第３透明基板を設け、前記第３透明基板の上部表面に前記第３透明導電素子を設けられ、前記第３透明基板の下部表面に第４透明導電素子を設けられ、前記第１電気変色層は前記第１透明導電素子と前記第３透明導電素子との電気導通により変色を引き起し、前記第２電気変色層は前記第３透明導電素子と前記第４透明導電素子との電気導通により変色を引き起こすことを特徴とする請求項７０記載の２Ｄ／３Ｄ映像切換え表示装置。
【請求項７４】
前記第１配列方向と前記第２配列方向は互いに垂直することを特徴とする請求項７０記載の２Ｄ／３Ｄ映像切換え表示装置。
【請求項７５】
前記第１電解質層は複数に間隔配列して、前記第１電気変色層と前記第１透明導通層との間に設け、前記第１電気変色層と同じ配列方向であることを特徴とする請求項７０記載の２Ｄ／３Ｄ映像切換え表示装置。
【請求項７６】
前記第１電解質層の部材は、陽極変色、陰極変色または陰／陽極変色より組み合わせた遷移金属元素酸化物グループまたは有機化合物のいずれかを選択できることを特徴とする請求項７５記載の２Ｄ／３Ｄ映像切換え表示装置。
【請求項７７】
前記第２電解質層は複数に間隔配列して、前記第２電気変色層と前記第２透明導通層との間に設け、前記第２電気変色層と同じ配列方向であることを特徴とする請求項７０記載の２Ｄ／３Ｄ映像切換え表示装置。
【請求項７８】
前記第２電解質層の部材は、陽極変色、陰極変色または陰／陽極変色より組み合わせた遷移金属元素酸化物グループまたは有機化合物のいずれかを選択できることを特徴とする請求項７７記載の２Ｄ／３Ｄ映像切換え表示装置。
【請求項７９】
センサー素子と制御素子とをさらに備え、前記センサー素子と前記制御素子は互いに電気導通され、前記制御素子はそれぞれ前記第１透明導電素子と、前記第２透明導電素子と、前記第３透明導電素子とを電気導通され、前記センサー素子は前記表示装置の回転方向を検出し、検出信号を前記制御素子に伝送した後、前記制御素子によって前記２つの前記透明導電素子の電圧を切換え、前記第１電気変色層と前記第２電気変色層の状態を切り換えて変色させることを特徴とする請求項７０記載の２Ｄ／３Ｄ映像切換え表示装置。
【請求項８０】
前記センサー素子はジャイロスコープであることを特徴とする請求項７９記載の２Ｄ／３Ｄ映像切換え表示装置。
【請求項８１】
前記第１電気変色層が変色するときに、前記第２電気変色層は褪色され、前記第１電気変色層が褪色するときに、前記第２電気変色層は変色されることを特徴とする請求項７０記載の２Ｄ／３Ｄ映像切換え表示装置。
【請求項８２】
立体映像表示を平面映像表示に切り換えたとき、前記第１電気変色層と前記第２電気変色層とも褪色反応することを特徴とする請求項７０記載の２Ｄ／３Ｄ映像切換え表示装置。
【発明の詳細な説明】
【技術分野】
【０００１】
本発明は一種の映像切換え表示装置に関し、特に一種の２Ｄ映像または３Ｄ表示状態切換え可能な２Ｄ／３Ｄ映像切換え表示装置に関する。
【背景技術】
【０００２】
公知の立体映像表示技術の原理は両眼の像差（Ｂｉｎｏｃｕｌａｒ  ｄｉｓｐａｒｉｔｙ）を利用し、右目と左目がそれぞれ映像を受信して、大脳にて一つの立体映像に統合される。裸眼立体の表示技術は構造によりレンチキュラー（または円筒レンズという）（Ｌｅｎｔｉｃｕｌａｒ）と光学バリア（Ｂａｒｒｉｅｒ）の２種類に分けられる。前述２種の構造にそれぞれの長短所がある。そのち、レンチキュラーレンズは多くの細長いレンズを軸方向に沿って連続に配列され、光学の屈折原理を利用し、分光の目的を達成しているため、光の損失は少なく明るさが優れている。しかし、レンズ構造の縁部に屈折の制限があり、屈折の効果が良くない。さらに、円筒レンズの製作誤差と、レンズ表面の平坦度が取りにくいことから散乱光が形成され、立体映像に一部にぼけを発生し、３Ｄ映像全体の表示効果が影響される。さらに、光学バリア式は整列されたバリアによって、ある角度の光の出射が制限され、ある角度の画像を左目と右目に伝送して立体映像が形成される。円筒レンズに対して一眼の画像の明るさは良いが、構造の特徴から、全体映像の明るさが低くなり、映像の解像度が低下するなどの欠点を有する。
【０００３】
この他、一般の立体映像表示装置は、立体映像しか表示できなく、平面像と立体映像との間で切換えすることができない。その主な原因はレンチキュラーレンズ（Ｌｅｎｔｉｃｕｌａｒ）や光学バリア（Ｂａｒｒｉｅｒ）を一般の表示装置に結合されたあと、すべての平面像は外付け式の立体映像表示モジュールを立体映像表示が必要ないときに表示装置より取り外す場合を別にして、レンチキュラーレンズ（Ｌｅｎｔｉｃｕｌａｒ）または光学バリア（Ｂａｒｒｉｅｒ）を通過した後、左目と右目の映像に仕分けられる。しかし、この種の方法は実務利用のときに、映像の解像度低下またはずれ等の問題を防止するため、位置を精確に照準する必要がある。よって、業者から立体映像と平面像とで切換え可能な立体映像表示装置が開発されている。
【０００４】
中華民国特許公報第Ｍ３７１９０２号（特許文献１）２Ｄ平面像と３Ｄ立体映像表示画面の切換え表示装置によると、フラットパネルと該フラットパネルの表示面に設けられた視差バリアパネルとを備える。そのうち、視差バリアパネルは第１電気変色部材層と第２電気変色部材層とを備えたグリッドパターンを有する。２Ｄ平面像の表示態様において、第１電気変色部材層と第２電気変色部材層とも透明であり、３Ｄ立体映像表示態様において、グリッドパターンは不透光パターンである。さらに、第１電気変色部材層は第１色を有し、第２電気変色部材層は第２色を有する。
【０００５】
中華民国特許公報第Ｍ３６８０８８号（特許文献２）、２Ｄ平面像と３Ｄ立体映像表示画面の切換え表示装置は、第１基板と、第１基板の下方に取付ける視差バリア部と、視差バリア部の下方に設けるカラーフィルタ部と、カラーフィルタ部の下方に設ける共通電極と、共通電極の下方に設ける液晶部と、液晶部の下方に設ける複数の薄膜トランジスターと、複数の薄膜トランジスターの下方に設ける第２基板と、第２基板の下方に設ける光源とを備え、視差バリア部によって、平面像と立体映像の表示切換えを行い、従来の公知技術の表示装置の厚みと組立コストを軽減する。
【先行技術文献】
【特許文献】
【０００６】
【特許文献１】中華民国特許公報第Ｍ３７１９０２号
【特許文献２】中華民国特許公報第Ｍ３６８０８８号
【発明の概要】
【発明が解決しようとする課題】
【０００７】
前述２点の特許文献とも電気変色部材を立体映像の視差バリア装置に使われている。その構造上の共通欠陥として、電気変色装置に必要な電解質層が設けられていない。よって、電気変色層の電解質層にイオンが提供されていいないため、電気変色装置に変色または色を取り除く変化に必要な酸化または還元の可逆反応が引き起こすことができない。よって、前記２点の特許文献とも実施不可能である。このほか、視差バリア装置の透明電極層と電気変色部材層ともグリッドパターンが設けられている。そのため、生産工程において、塗布、スパッタリング、蝕刻は層を分けて行うほか、各積層とも精確に位置合わせが必要となり、生産プロセスが極めて複雑なうえ、すべての積層にグリッドパターンを設けるため、各グリッドパターン同士の中間部に中空の区域ができてしまい、全体の光透過、屈折または反射に影響を与える。通常の２Ｄ表示のときも表示装置の映像品質に影響する恐れがあり、色差または輝度の不均衡問題を引き起こす。一方特許文献２の前記中華民国特許第Ｍ３６８０８８号に記載されたもう一種の埋め込み式液晶表示装置の基材の構造は、グリッドパターンは絶縁性を帯びた透明部材に埋め込みするものであり、これによって立体映像の液晶表示装置の厚みを軽減されるものの、生産プロセスは非常に複雑である。このほか、前記公知技術は平面像と立体映像の切換えはできるものの、視角を任意に変更できる手持ち式装置には、立体表示の角度を変更できなく、一定の方向に固定しなければ、３Ｄ映像を視聴することはできない。
【課題を解決するための手段】
【０００８】
前記のニーズについて、考案者は鋭意に研究し、考案者の当分野において長年の経験に基づいて、斬新な２Ｄ／３Ｄ映像切換え表示装置を発明した。
【０００９】
本発明の一つの目的は、一種の２Ｄまたは３Ｄ映像の表示態様を切換え可能な２Ｄ／３Ｄ映像切換え表示装置を提供する。
【００１０】
本発明の一つの目的は、視差バリア装置を追加必要がない、一種の２Ｄ／３Ｄ映像表示可能な２Ｄ／３Ｄ映像切換え表示装置を提供する。
【００１１】
本発明の一つの目的は、平面像を表示するときに映像の解像度が影響されない、一種の２Ｄ／３Ｄ映像切換え表示装置を提供する。
【００１２】
本発明の一つの目的は、生産プロセスを簡素化できる、一種の２Ｄ／３Ｄ映像切換え表示装置を提供する。
【００１３】
本発明の一つの目的は、視聴の角度によって立体映像表示に使用される遮光角度を調整可能な、一種の２Ｄ／３Ｄ映像切換え表示装置を提供する。
【００１４】
前記目的を達成するため、本発明に係る２Ｄ／３Ｄ映像切換え表示装置は、平面像と立体映像を表示する映像表示部と、映像表示部の表面に設ける映像切換え部とを含む。前記映像切換え部は対向に設置された第１透明基板と第２透明基板とを有し、前記透明基板に対応する表面に、それぞれ第１透明導電素子と第２透明導電素子を設け、第２透明基板もう一つの表面は映像表示部の表面に結合される。引き続き、第１透明基板の下方は順を追って、複数の電気変色層（Ｅｌｅｃｔｒｏｃｈｒｏｍｉｃ  Ｌａｙｅｒ）と電解質層が間隔を置いて設けられ、電気変色層は第１、第２透明導電素子の電気導通によって変色変化を引き起こす。
【００１５】
このほか、電気変色層が変色するときのマスク効果を向上するため、電解質層の両側に複数の第１電気変色層と第２電気変色層は間隔を置いて設け、第１、第２電気変色層の配列方向を同様にするか、または全体に重ね合わせた構造に簡略化しても良い。電解質層は第２電気変色層によって完全に取り代わられ、第２電気変色層に補色およびイオン提供の機能を合わせて備える。
【００１６】
これにより、映像表示部が平面映像から立体映像の表示態様に切換えるとき、表示映像は左目の映像と右目の映像にそれぞれ分けられる。このとき、透明導電素子を導通させ、電気変色層の色を透明から不透光の暗色遮光区域に切り換えて、電気変色層の間隔配列状態に従い、電気変色層の形成される間隔に配列された複数の遮光区域は肉眼の受信に干渉模様の形成を防止するため、左目の映像と右目の映像に分けて、遮光区域により一部干渉模様の領域を取り除く。さらに、公知技術は立体映像表のとき、映像表示部にレンチキュラーレンズ（Ｌｅｎｔｉｃｕｌａｒ）または光学バリア（Ｂａｒｒｉｅｒ）２種の装置を使用されているが、本発明に係る２Ｄ／３Ｄ映像切換え表示装置は、立体映像の表示に当たり、映像表示部によって左目の映像と右目の映像に仕分けられた立体映像を直接に表示できる。
【００１７】
注意したいことは、電気変色構造において、電気変色層と電解質層の積層順序が互い逆にしても電気変色層の変色機制に影響されない。本発明は主に印加する電圧の制御によって、電気変色層の酸化または還元反応を制御する。さらに、本発明に係る２Ｄ／３Ｄ映像切換え表示装置の電気変色層は複数に間隔配列されているが、透明導電素子は複数に間隔配列をしないか、または同一基材の生産プロセスに一つの積層のみに間隔に配列を実施することにより、各積層の位置合わせ問題を解決でき、生産プロセスも簡素化できる。
【００１８】
このほか、２組の電気変色装置を結合した上、センサー素子の動作検知および制御素子の回路の切換えによって、立体映像を表示されているとき、視聴者が装置を回転した後、視差バリア装置のマスク角度は相応に切り換えることによって、装置いずれかの方向からも立体映像を視聴できる。
【図面の簡単な説明】
【００１９】
【図１】本発明実施例１の分解斜視図ある。
【図２】本発明実施例１の動作態様図（その１）である。
【図３】本発明実施例１の動作態様図（その２）である。
【図４】本発明実施例１の動作態様図（その３）である。
【図５】本発明実施例１の異なる積層組み合わせ図（その１）である。
【図６】本発明実施例１の異なる積層組み合わせ図（その２）である。
【図７】本発明実施例１の異なる積層組み合わせ図（その３）である。
【図８】本発明実施例１の異なる積層組み合わせ図（その４）である。
【図９】本発明実施例１の異なる積層組み合わせ図（その５）である。
【図１０】本発明実施例１の異なる積層組み合わせ図（その６）である。
【図１１】本発明実施例２の分解斜視図である。
【図１２】本発明実施例３の分解斜視図である。
【図１３】本発明実施例３の保護層の分解斜視図である。
【図１４】本発明実施例３の異なる積層組み合わせ図（その１）である。
【図１５】本発明実施例３の異なる積層組み合わせ図（その２）である。
【図１６】本発明実施例３の異なる積層組み合わせ図（その３）である。
【図１７】本発明実施例４の分解斜視図である。
【図１８】本発明実施例５の分解斜視図である。
【図１９】本発明実施例５の保護層の分解斜視図である。
【図２０】本発明実施例６の分解斜視図である。
【図２１】本発明実施例７の分解斜視図である。
【図２２】本発明実施例６もう一つの分解斜視図である。
【図２３】本発明実施例６また一つの分解斜視図である。
【発明を実施するための形態】
【００２０】
本発明の内容のさらなる理解を図るため、以下にて図面と合わせて説明する。
【実施例】
【００２１】
図１乃至図４に示した本発明に係る実施例１の分解斜視図と動作態様図その１乃至３を参照して説明する。
図示のように、本発明に係る２Ｄ／３Ｄ映像切換え表示装置は映像表示部１と、映像切換え部２とを備える。
【００２２】
そのうち、平面映像と立体映像を表示する映像表示部１において、表示の立体映像はソフトウェア、ファームウェアまたはハードウェア技術のいずれかによって行うことができる。一例としてソフトウェアまたはファームウェアによって平面像を左目の映像と右目の映像を含めた重ね合わせ映像に変換し、またはレンチキュラー（Ｌｅｎｔｉｃｕｌａｒ）または光学バリア（Ｂａｒｒｉｅｒ）この２つのハードウェア装置によって、左目の映像と右目の映像に仕分ける。ただし、この種の立体映像表示技術は、本案の技術特徴でない、かつ、公知の技術であるため、ここでの説明を省略する。映像表示部１はたとえば、液晶表示装置（Ｌｉｑｕｉｄ  Ｃｒｙｓｔａｌ  Ｄｉｓｐｌａｙ，  ＬＣＤ）、プラズマディスプレイパネル（Ｐｌａｓｍａ  Ｄｉｓｐｌａｙ  Ｐａｎｅｌ，  ＰＤＰ）、表面伝導電子エミッタディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，  ＳＥＤ）、フィールドエミッションディスプレイ（Ｆｉｅｌｄ  Ｅｍｉｓｓｉｏｎ  Ｄｉｓｐｌａｙ，  ＦＥＤ）、真空蛍光表示装置（Ｖａｃｕｕｍ  Ｆｌｕｏｒｅｓｃｅｎｔ  Ｄｉｓｐｌａｙ，  ＶＦＤ）、有機発光ダイオード表示装置（Ｏｒｇａｎｉｃ  Ｌｉｇｈｔ−Ｅｍｉｔｔｉｎｇ  Ｄｉｏｄｅ，  ＯＬＥＤ）または電子ペーパー（Ｅ−Ｐａｐｅｒ）のいずれであっても良い。
【００２３】
映像切換え部２は映像表示部１に結合し、第１透明基板２１と、第２透明基板２２と、電気変色層２３と電解質層２４とを備える。
【００２４】
そのうち、第１透明基板２１下方の表面に平板状、薄板状またはフィルム状第１透明導電素子２１１を設ける。第１透明基板２１と第２透明基板２２の部材はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、ポリ塩化ビニル（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）またはこれらの混合物からなるプラスチック重合体のいずれかを選び、第１透明導電素子２１１と第２透明導電素子２２１の部材はインジウムスズ酸化物（Ｉｎｄｉｕｍ  Ｔｉｎ  Ｏｘｉｄｅ，  ＩＴＯ）、インジウム酸化亜鉛（Ｉｎｄｉｕｍ  Ｚｉｎｃ  Ｏｘｉｄｅ，  ＩＺＯ）、酸化亜鉛アルミニウム（Ａｌ−ｄｏｐｅｄ  ＺｎＯ，  ＡＺＯ）または酸化アンチモンスズ（Ａｎｔｉｍｏｎｙ  Ｔｉｎ  Ｏｘｉｄｅ，  ＡＴＯ）より組み合わせた酸化物ドーピング（Ｉｍｐｕｒｉｔｙ−Ｄｏｐｅｄ  Ｏｘｉｄｅｓ）グループのいずれから選択使用できる。
【００２５】
電気変色層２３は複数に間隔配列して第２透明基板２２の上方に設け、第２透明導電素子２２１の表面に覆い被せる。取付け方法はたとえば、以下の方法によることができる。ゾルゲル法（ｓｏｌ−ｇｅｌ）、真空スパッタリング（ｓｐｕｔｔｅｒｉｎｇ）法、電気めっき（ｐｌａｔｉｎｇ）法、レーザー蝕刻法等から選択使用できる。電気変色層２３の部材は陽極変色（ａｎｏｄｉｃ  ｃｏｌｏｒａｔｉｏｎ）、陰極変色（ｃａｔｈｏｄｉｃ  ｃｏｌｏｒａｔｉｏｎ）または陰／陽極変色（ｃａｔｈｏｄｉｃ  ／  ａｎｏｄｉｃ  ｃｏｌｏｒａｔｉｏｎ）より組み合わせるグループのいずれかから選択使用できる。一般として、陽極変色（ａｎｏｄｉｃ  ｃｏｌｏｒａｔｉｏｎ）部材は酸化クロム（Ｃr２Ｏ3）、ニッケル酸化物（ＮiＯx）、イリジウム酸化物（ＩｒＯ2）、マンガン酸化物（ＭｎＯ2）、ヘキサシアノ鉄ＩＩ酸鉄ＩＩＩ  Ｆe4[Ｆｅ（ＣＮ）6]3または水酸化ニッケルＮｉ（ＯＨ）2より組み合わせた陽極変色（ａｎｏｄｉｃ  ｃｏｌｏｒａｔｉｏｎ）遷移金属元素酸化物から選択使用できる。陰極変色（ｃａｔｈｏｄｉｃ  ｃｏｌｏｒａｔｉｏｎ）部材は主に酸化タングステン（ＷＯ3）、酸化モリブデン（ＭoＯ3）、酸化ニオブ（Ｎb2Ｏ3）、酸化チタン（ＴiＯ2）、チタン酸ストロンチウム（ＳrＴiＯ3）より組み合わせる陰極変色（ｃａｔｈｏｄｉｃ  ｃｏｌｏｒａｔｉｏｎ）遷移金属元素酸化物から選択使用できる。陰／陽極変色（ｃａｔｈｏｄｉｃ  ／  ａｎｏｄｉｃ  ｃｏｌｏｒａｔｉｏｎ）部材は主に酸化バナジウム（Ｖ2Ｏ2）、酸化ロジウム（Ｒｈ2Ｏ3）または酸化コバルト（ＣｏＯｘ）より組み合わせる陰／陽極変色（ｃａｔｈｏｄｉｃ  ／  ａｎｏｄｉｃ  ｃｏｌｏｒａｔｉｏｎ）遷移金属元素酸化物から選択使用できる。このほか、固体状態の電解質、イオン導電層にすることのできる五酸化タンタル（Ｔａ2Ｏ5）等の遷移金属元素酸化物から選択使用できる。
【００２６】
それぞれの遷移金属酸化物において、良く見かける電気変色部材の分類は以下の表（表１）による。
【００２７】
【表１】
2012003221.tif 000003
【００２８】
電解質層２４は電気変色層２３と第１透明基板２１との間に設ける。主な目的はイオンを提供し、電気変色層２３に伝送させ、液体状態のまたは固体状態の電解質のいずれかである。ただし、液体状態の電解質は素子のパッケージ工程に漏れ問題があるため、固体状態の電解質を一般に使われている。本発明に係る電解質層２４の一実施例は固体状態の電解質であり、水素イオン交換膜（Ｐｒｏｔｏｎ  Ｅｘｃｈａｎｇｅ  Ｍｅｍｂｒａｎｅ）が好ましい。イオノマー膜（Ｉｏｎｏｍｅｒ  ｍｅｍｂｒａｎｅ）、有機／無機イオンハイブリッド膜（Ｏｒｇａｎｉｃ−Ｉｎｏｒｇａｎｉｃ  ｈｙｂｒｉｄ  ｍｅｍｂｒａｎｅ）または高分子とオキソ酸膜（Ｍｅｍｂｒａｎｅ  ｂａｓｅｄ  ｏｎ  ｐｏｌｙｍｅｒ  ａｎｄ  ｏｘｏ−ａｃｉｄｓ）のいずれから選択する。そのうち、イオン重合膜はペルフルオロスルホン酸重合（ｐｏｌｙｍｅｒｉｚｅｄ  ｐｅｒｆｌｕｏｒｏｓｕｌｆｏｎｉｃ  ａｃｉｄ，ＰＦＳＡ）膜から選択使用できる。
【００２９】
本発明もう一つの実施例において、電解質層２４は過塩素酸リチウム (LiClO4)、水酸化カリウム(KOH)、水酸化ナトリウム(NaOH)と、ケイ酸ナトリウム(Na2SiO3)から選択される液体電解質である。
【００３０】
この種の電気変色部材は、電位を印加し酸化または還元の可逆反応を発生し、変色を引き起こす部材という。電気変色層２３の稼働原理は、電気変色部材内部の遷移金属元素のイオン価状態を引き起こし変色と色あせの反応を引き起こす。バイアス圧を電気変色層２３に印加することによって、電解質層２４に格納していたイオンは電気変色層２３に拡散すると共に、電子を第２透明導電素子２２１より電気変色層２３に注入し、電気変色層の中性を維持する。一方、変色プロセスでは電子とイオンが電気変色層２３に注入することによって、電気変色層２３部材の酸化還元状態は徐々に変更を引き起こし、電気変色層２３の屈折率と透過率が改変される。このプロセスは数秒から１分間以内に完了される。よって、図３から明かのように、電気変色層２３は透明から変色状態に切り換わって、不透光の遮光区域２３１を形成する。さらに、陽極変色方式では電気変色層２３に印加するバイアス圧が消えた後に、電気変色層２３は変色状態から透明状態に切り換わる。
【００３１】
一方、褪色のプロセスでは逆方向の電圧またはゼロバイアス電圧を電気変色層２３に印加すると、反対経路に沿って電気変色層２３から電解質層２４に戻り、電気変色層２３を従来の無色状態に戻す。従って、図４から明かのように、電気変色層２３は変色状態の不透光の遮光区域２３１から透明状態に切り換わる。さらに、陰極変色方式では電気変色層２３に印加していたバイアス電圧が消えた後に、電気変色層２３は透明状態から変色状態に切り換えて、不透光の遮光区域２３１に還元される。
【００３２】
電気変色層２３は複数に間隔配列方式により第２透明基板２２の上部表面に設けることに対して、電気変色層２３は第２透明導電素子２２１の上方に設けられている。よって、第１透明導電素子２１１と第２透明導電素子２２１が電気導通されると、電気変色層２３に変色切り換えが引き起こされる。このため、複数に間隔配列方式に設けられた不透光の遮光区域２３１は映像表示部１によって処理済みの多重映像（左目の映像Ｌと右目の映像Ｒに分けられる）を表示させるときに、これらの遮光区域２３１によって一部の映像の重ね合わせた領域を取り除き、肉眼の視聴による干渉模様は防止される。さらに、公知技術の立体映像を表示するときは、映像表示部にレンチキュラー（Ｌｅｎｔｉｃｕｌａｒ）または光学バリア（Ｂａｒｒｉｅｒ）２種の装置を取り付けるが必要でしたが、本発明に係る２Ｄ／３Ｄ映像切り換え表示装置を適用すれば、映像表示部によって左目の映像と右目の映像を直接に仕分けられる。
【００３３】
図５乃至図７に示した本発明に係る実施例１の異なる積層組み合わせ図を参照して説明する。
図示のように、第１透明導電素子２１１は複数に間隔配列方式により第１透明基板２１の下部表面を設置し、または第２透明導電素子２２１が複数に間隔配列方式により第２透明基板２２の上部表面を設置され、あるいは第１、第２透明導電素子２１１、２２１とも複数に間隔配列方式により第１、第２透明基板２１、２２の表面に取付けすることができる。その配列方向は電気変色層２３の配列方向と同様にする。これらの構造は実施例１の変化組合せである。ただし、生産プロセスの簡素化を図るため、最適なやり方として、電気変色層２３が複数に間隔配列方式により積層構造に設けることで、極めて良い変色機制とマスク効果を達成できる。
【００３４】
図８乃至図１０を参照して説明する。このほか、第１透明導電素子２１１を電解質による浸食を避けるため、その表面はさらに保護層２６を設け、電気変色層２３を電解質によって水解を避けることと使用寿命を長くするため、電気変色層２３と電解質層２４との間はさらに、保護層２６を設けることができる。保護層２６の部材は二酸化ケイ素（ＳｉＯ2）、酸化アルミニウム（Ａｌ2Ｏ3）、テトラメチルジシロキサン（ｔｅｔｒａｍｅｔｈｙｌｄｉｓｉｌｏｘａｎｅ，  ＴＭＤＳＯ，Ｃ4Ｈ14ＯＳｉ2）その他炭素―ケイ素酸化フィルム（ｃａｒｂｏｎ−ｓｉｌｉｃｏｎ−ｏｘｉｄｅ  ｌａｙｅｒ）等を電気メッキー法またはスパッタリング法などを前記の積層に設ける。
【００３５】
図１１に示した本発明実施例２の分解斜視図を参照して説明する。
図示のように、本発明に係る実施例２と前述実施例１と異なる点は、電解質層２４は複数に間隔配列方式により第１透明基板２１と電気変色層２３との間に配置されている。このような電解質層２４の配置方式は、好ましい応用例として、電解質層２４を電気変色層２３の補助変色機能として、透過率のコントラストを有効に深めさせる。つまり、電解質層は電気変色部材を選択使用できる。その部材は陽極変色（ａｎｏｄｉｃ  ｃｏｌｏｒａｔｉｏｎ）、陰極変色（ｃａｔｈｏｄｉｃ  ｃｏｌｏｒａｔｉｏｎ）または陰／陽極変色（ｃａｔｈｏｄｉｃ  ／  ａｎｏｄｉｃ  ｃｏｌｏｒａｔｉｏｎ）より組み合わせる遷移金属元素酸化物のグループのいずれかから選択使用できる。一般として、陽極変色（ａｎｏｄｉｃ  ｃｏｌｏｒａｔｉｏｎ）部材は酸化クロム（Ｃr２Ｏ3）、ニッケル酸化物（ＮiＯx）、イリジウム酸化物（ＩｒＯ2）、マンガン酸化物（ＭｎＯ2）、ヘキサシアノ鉄ＩＩ酸鉄ＩＩＩ  Ｆe4[Ｆｅ（ＣＮ）6]3または水酸化ニッケルＮｉ（ＯＨ）2より組み合わせる陽極変色（ａｎｏｄｉｃ  ｃｏｌｏｒａｔｉｏｎ）遷移金属元素酸化物から選択使用できる。陰極変色（ｃａｔｈｏｄｉｃ  ｃｏｌｏｒａｔｉｏｎ）部材は主に酸化タングステン（ＷＯ3）、酸化モリブデン（ＭoＯ3）、酸化ニオブ（Ｎb２Ｏ3）、酸化チタン（ＴiＯ2）、チタン酸ストロンチウム（ＳrＴiＯ3）より組み合わせる陰極変色（ｃａｔｈｏｄｉｃ  ｃｏｌｏｒａｔｉｏｎ）遷移金属元素酸化物から選択使用できる。陰／陽極変色（ｃａｔｈｏｄｉｃ  ／  ａｎｏｄｉｃ  ｃｏｌｏｒａｔｉｏｎ）部材は主に酸化バナジウム（Ｖ2Ｏ2）、酸化ロジウム（Ｒｈ2Ｏ3）または酸化コバルト（ＣoＯx）より組み合わせる陰／陽極変色（ｃａｔｈｏｄｉｃ  ／  ａｎｏｄｉｃ  ｃｏｌｏｒａｔｉｏｎ）遷移金属元素酸化物から選択使用できる。このほか、固体状態の電解質、イオン導電層にすることのできる五酸化タンタル（Ｔａ2Ｏ5）等の遷移金属元素酸化物から選択使用できる。さらに、電解質層２４を補助変色層にする場合は、電気変色層２３に陰極変色部材を使用し、補助変色層に陽極変色部材を使用する。逆の場合も同じである。よって、電気変色層２３が変色すると同時に、補助変色層も変色が行なわれる。一方、電気変色層２３が褪色すると同時に、補助変色層も褪色反応が行なわれる。
【００３６】
図１２に示した本発明実施例３の分解斜視図を参照して説明する。図示のように、本発明に係る実施例３は実施例１と異なる点は、電気変色層２３と電解質層２４の取付け位置を置き換えられている。しかし、達成する効果および各組成構造の特性はなお前述実施例１に同様のため、ここでの詳細説明を省略する。
【００３７】
図１３を参照して説明する。このほか、第２透明導電素子２２１を電解質による浸食を避けるため、その表面はさらに保護層２６を設け、電気変色層２３を電解質によって水解を避けることと使用寿命を長くするため、電気変色層２３と電解質層２４との間はさらに、保護層２６にを設けることができる。保護層２６の部材は二酸化ケイ素（ＳｉＯ2）、酸化アルミニウム（Ａｌ2Ｏ3）、テトラメチルジシロキサン（Ｃ4Ｈ14ＯＳｉ2）その他炭素―ケイ素酸化フィルム（ｃａｒｂｏｎ−ｓｉｌｉｃｏｎ−ｏｘｉｄｅ  ｌａｙｅｒ）等を電気メッキー法またはスパッタリング法などを前記の積層に設ける。
【００３８】
図１４乃至図１６、本発明に係る実施例３の異なる積層組合せ図を参照する。図示のように、第１透明導電素子２１１は複数に間隔配列して第１透明基板２１の下部表面に設けられ、または第２透明導電素子２２１は複数に間隔配列して第２透明基板２２の上部表面あるいは第１、第２透明導電素子２１１、２２１とも複数に間隔配列して第１、第２透明基板２１、２２の表面に設けられ、配列方向は電気変色層２３の配列方向に同じとする。
【００３９】
続いて、図１７本発明に係る実施例４の立体分解態様図を参照する。図示のように、電解質層２４は複数に間隔配列して第２透明基板２２と電気変色層２３との間に配置されている。このような電解質層２４の配置方式は、好ましい応用例として、電解質層２４を電気変色層２３の補助変色機能として、透過率のコントラストを有効に深めさせる。つまり、電解質層は電気変色部材を選択できる。実施例３は電解質層２４と電気変色層２３との位置を置き換えられているが、達成する効果と各組成構造の特性とも前述実施例２に同様のため、ここでの詳細説明を省略する。
【００４０】
図１８に示した本発明に係る実施例５の立体分解態様図を参照して説明する。前述した実施例１乃至４に比べ、このような設置の目的はより良い遮光効果をより良くするため、本実施例においては、もう一つの電気変色層が増設されている。その構造は、平面映像と立体映像を表示するための映像表示部１と、映像表示部１の表面に結合する映像切り換え部２とを備える。映像切り換え部２はさらに第１透明基板２１を備え、その表面に第１透明導電素子２１１を設ける。第２透明基板２２は、第１透明基板２１の対向する表面に第２透明導電素子２２１を設け、もう一つの表面は映像表示部１の表面に結合する。第１電気変色層２３２は複数に間隔配列して第１透明基板２１下部の表面に設ける。第２電気変色層２３３は複数に間隔配列して第２透明基板２２の上部表面に設ける。電解質層２４は第１電気変色層２３２と第２電気変色層２３３との間に配置されている。そのうち、第１電気変色層２３２と第２電気変色層２３３は同じ配列方向に設けられており、かつ第１、第２透明導電素子２１１、２２１の電気導通により、第１、第２電気変色層２３２、２３３に変色を引き起こす。すなわち、第１電気変色層２３２が変色すると、第２電気変色層２３３も変色される。そして、第１電気変色層２３２が褪色するときに、第２電気変色層２３３も褪色される。ここに注意したいことは、第１電気変色層２３２は陰極変色部材を使用すれば、第２電気変色層２３３は陽極変色部材を使用しなければならない。逆の場合も同じである。なお、達成する効果と各組成構造の特性は前述各実施例に同じである。ここでの詳細説明を省略する。
【００４１】
図19を参照して説明する。このほか、電気変色層２３２、２３３が電解質によって水解を避けることと使用寿命を長くするため、電気変色層２３２、２３３と電解質層２４との間はさらに、保護層２６を設けることができる。保護層２６の部材は二酸化ケイ素（ＳｉＯ2）、酸化アルミニウム（Ａｌ2Ｏ3）、テトラメチルジシロキサン（Ｃ4Ｈ14ＯＳｉ2）その他炭素―ケイ素酸化フィルム（ｃａｒｂｏｎ−ｓｉｌｉｃｏｎ−ｏｘｉｄｅ  ｌａｙｅｒ）等を電気メッキー法またはスパッタリング法などを前記の積層に設ける。
【００４２】
図２０に示した本発明に係る実施例６の立体分解態様図を参照して説明する。図示のように、本発明に係る２Ｄ／３Ｄ映像切り換え表示装置は、映像表示部１と、映像切り換え部２とを備える。映像切り換え部２はさらに、第１透明基板２１と、第２透明基板２２と、第１電気変色層２３２と、第１電解質層２４１と、第２電気変色層２３３と、第２電解質層２４２と、透明導通層２５とを含む。そのうち、第１透明基板２１の下部表面に第１透明導電素子２１１を設け、第２透明基板２２の上部表面に第２透明導電素子２２１を設ける。第１電気変色層２３２は第１配列方向を複数に間隔配列して第１透明基板２１の下部表面に設けて、第１透明導電素子２１１の上部に覆い被せた上、第１電気変色層２３２の下部表面に第１電解質層２４１を設け、第２電気変色層２３３は第２配列方向を複数に間隔配列して第２透明基板２２上部の表面に設けて、第２透明導電素子２２１の上部に覆い被せた上、第２電気変色層２３３の上部表面に第２電解質層２４２を設ける。このほか、透明導通層２５は第１電解質層２４１と第２電解質層２４２との間に設けて、第１透明導電素子２１１と第２透明導電素子２２１とを電気導通させる。よって、第１電気変色層２３２は第１透明導電素子２１１と透明導通層２５との電気導通によって変色変化を引き起こし、第２電気変色層２３３は第２透明導電素子２２１と透明導通層２５の電気導通によって変色変化を引き起こす。
【００４３】
前述の第１、第２電気変色層２３２、２３３の設置方法は前述した実施例と同じであり、ゾルゲル法（ｓｏｌ−ｇｅｌ）、真空スパッタリング（ｓｐｕｔｔｅｒｉｎｇ）法、電気めっき（ｐｌａｔｉｎｇ）法、レーザー蝕刻法等を用いて各基板上に取付ける。第１、第２電気変色層２３２、２３３の部材は陽極変色（ａｎｏｄｉｃ  ｃｏｌｏｒａｔｉｏｎ）、陰極変色（ｃａｔｈｏｄｉｃ  ｃｏｌｏｒａｔｉｏｎ）または陰／陽極変色（ｃａｔｈｏｄｉｃ  ／  ａｎｏｄｉｃ  ｃｏｌｏｒａｔｉｏｎ）より組み合わせた遷移金属元素酸化物グループまたは有機化合物のいずれかを選択できる。第１、第２電解質層２４１、２４２の部材は液体状態の電解質または固体状態の電解質を選択できる。さらに、第１、第２電解質層２４１、２４２をイオン提供のほか、補助変色の機能を具備させる場合、電解質層の部材は前述実施例２に述べた通り、電気変色部材を選択する。電気変色層２３に陰極変色部材を選択された場合、補助変色層は陽極変色部材を使用し、逆の場合も同じである。よって、電気変色層２３が変色するときに、補助変色層も変色が行われる。そして、電気変色層２３が褪色するときに、補助変色層も褪色反応される。第１、第２電解質層２４１、２４２は第１、第２電気変色層２３２、２３３の設置位置と方向に合わせて、複数に間隔配列して各積層に設け、各層の電気変色層にて遮光区域を形成された後に、より良い遮光効果を達成できる。
【００４４】
実施例６は、２組の電気変色装置が結合されている設置方式である。その目的は、表示装置を視聴者Ｅの視聴角度に従い立体映像表示で使用する遮光角度の調整に備える。よって、第１電気変色層２３２は第１配列方向に複数に間隔配列して設置し、第２電気変色層２３３は第２配列方向に複数に間隔配列して設置する。さらに、第１配列方向と第２配列方向は互いに直角になることが好ましい。第１電気変色層２３２と第２電気変色層２３３は電圧制御によって、複数に間隔配列された遮光区域が形成される。注意したいことは、図２２と図２３に示すように、第３透明導通層２５は第３透明基板の上部表面または下部表面に第３透明導電素子２５１を設けられていることを意味し、第３導電層２５は第３透明基板の上部表面に第３透明導素子２５１を設け、第３透明導電基板の下部表面に第４透明導電素子２５２を設け、第1透明導電素子２１１と第３透明導電素子２５１の電気導通により第１電気変色層２３２を駆動し、変色を引き起こさせる。第２電気変色層２３３は第2透明導電素子２２１と第４透明導電素子２５２の導通により、変色を引き起こす。
【００４５】
その稼働原理は表示装置にセンサー素子（図示していない）と制御素子（図示していない）とを有し、センサー素子と制御素子を互いに電気導通する。そのうち、センサー素子はたとえば、ジャイロスコープ（Ｇｙｒｏｓｃｏｐｅ）であり、制御素子はそれぞれ第１透明導電素子２１１と、第２透明導電素子２２１と透明導通層２５とを電気導通する。そのうち、センサー素子は表示装置の回転方向（水平または垂直）を検出し、検出信号を制御素子に伝送した後、制御素子を介して第１、第２透明導電素子２１１、２２１と透明導通層２５の電圧を切り換えて、第１電気変色層２３２と第２電気変色層２３３の状態を切り換えて変色させる。一例として、映像表示部１が第１配列方向に視聴者Ｅを向かわれたとき、第１配列方向に向かって設置された第１電気変色層２３２は変色される。映像表示部１の映像は第１電気変色層２３２によって視差バリアが形成され、第１配列方向に立体映像が形成される。そして、映像表示部１が第２配列方向に視聴者Ｅを向かわれたとき、制御素子によって第１、第２透明導電素子２１１、２２１と透明導通層２５の電圧切換えを制御し、第１電気変色層２３２、第１電解質層２４１の状態を切り換えて、変色された第１電気変色層２３２を褪色させると共に、第２電気変色層２３３を変色させる。よって、映像が第２電気変色層２３３より形成された視差バリアを通過した後、第２配列方向に立体映像が形成される。そして、視聴者Ｅは平面像の表示に戻したいときは、第１、第２透明導電素子２１１、２２１と第３透明導通層２５の電圧切換えを制御し、第１、第２電気変色層２３２、２３３を褪色させることによって、映像表示部１は立体映像から平面像に切り換えられる。
【００４６】
図２１は、本発明に係る実施例７の立体分解態様図である。図示のように、本実施例は実施例６と異なる点は、第１電気変色層２３２と第１電解質層２４１の設置位置を互いに置き換えられており、第２電気変色層２３３と第２電解質層２４２の設置位置も互いに置き換えられている。達成する効果、構成部材の特性と視聴角度に従って、立体映像表示するときに使用する遮光角度の稼働原理は、前述実施例６に同じである。ただし、前述実施例６、７の２組の電気変色装置の積層順序は違っても良い。その理由は、各電気変色層は別々に電圧制御されている。組み合わせた後に、第１電気変色層２３２と第２電気変色層２３３の第１配列方向と第２配列方向を別方向にすれば良い。よって、２組の電解質層と電気変色層の設置順序が同じまたは異なっていても、本発明の範疇である。
【００４７】
さらに、第３透明導電素子と第４導電素子は第３透明基板（図２０に示す）の表面を被せるかまたはそれぞれ間隔を置いて、第３透明基板に設けることができる。（図２１に示す）。
【００４８】
以上の説明をまとめることで、本発明は公知技術を改善しており、かつ特許に要求された条件を満たしており、よって、特許を出願する。
【００４９】
以上に説明したものは、本発明の好ましい実施例であり、本発明の実施範疇に制限を加わるものではない。当技術に熟知するものは、本発明の精神と範疇を逸脱されない、いかなる等効果変化と修飾とも、本発明の特許申請範囲に含まれる。
【符号の説明】
【００５０】
１・・・・・・映像表示部
２・・・・・・映像切換え部
２１・・・・・第１透明基板
２１１・・・・第１透明導電素子
２２・・・・・第２透明基板
２２１・・・・第１透明導電素子
２３・・・・・電気変色層
２３１・・・・遮光区域
２３２・・・・第１電気変色層
２３３・・・・第２電気変色層
２４・・・・・電解質層
２４１・・・・第１電解質層
２４２・・・・第２電解質層
２５・・・・・透明導通層
Ｅ・・・・・・視聴者
Ｌ・・・・・・左目の映像
Ｒ・・・・・・右目の映像
【図１】
2012003221.tif 000004
【図２】
2012003221.tif 000005
【図３】
2012003221.tif 000006
【図４】
2012003221.tif 000007
【図５】
2012003221.tif 000008
【図６】
2012003221.tif 000009
【図７】
2012003221.tif 000010
【図８】
2012003221.tif 000011
【図９】
2012003221.tif 000012
【図１０】
2012003221.tif 000013
【図１１】
2012003221.tif 000014
【図１２】
2012003221.tif 000015
【図１３】
2012003221.tif 000016
【図１４】
2012003221.tif 000017
【図１５】
2012003221.tif 000018
【図１６】
2012003221.tif 000019
【図１７】
2012003221.tif 000020
【図１８】
2012003221.tif 000021
【図１９】
2012003221.tif 000022
【図２０】
2012003221.tif 000023
【図２１】
2012003221.tif 000024
【図２２】
2012003221.tif 000025
【図２３】
2012003221.tif 000026
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた第１透明基板と、
前記第１透明基板に対応する片表面には第２透明導電素子が設けられ、他の表面は前記映像表示部の表面に結合するに用いる第２透明基板と、
前記第２透明基板の表面に所定の間隔おきに配列され、前記第１透明導電素子と第２透明導電素子との電気導通によって色変化を起こす複数の電気変色層と、
前記電気変色層と前記第１透明基板との間に設ける電解質層と、
を備えることを特徴とする、２Ｄ／３Ｄ映像切り替え表示装置。
【請求項２】
前記映像表示部はたとえば、液晶表示装置、プラズマディスプレイパネル、表面伝導電子エミッタディスプレイ、フィールドエミッションディスプレイ、真空蛍光表示装置、有機発光ダイオード表示装置または電子ペーパーのいずれであることを特徴とする請求項１記載の２Ｄ／３Ｄ映像切換え表示装置。
【請求項３】
前記第１透明基板と前記第２透明基板の部材はプラスチック、高分子プラスチック、ガラスまたは樹脂、ポリエチレンテレフタレート、ポリカーボネート、ポリエチレン、ポリ塩化ビニル、ポリプロピレン、ポリスチレン、ポリメタクリル酸メチルまたはこれらの混合物からなるプラスチック重合体のいずれかを選択できることを特徴とする請求項１記載の２Ｄ／３Ｄ映像切換え表示装置。
【請求項４】
前記電気変色層を前記第２透明基板に設置するときは、ゾルゲル法、真空スパッタリング法、電気めっき法、レーザー蝕刻法のいずれかを選択できることを特徴とする請求項１記載の２Ｄ／３Ｄ映像切換え表示装置。
【請求項５】
前記電気変色層の部材は、陽極変色、陰極変色、または陰／陽極変色より組み合わせるグループのいずれかを選択できることを特徴とする請求項１記載の２Ｄ／３Ｄ映像切換え表示装置。
【請求項６】
前記電気変色層の部材は、酸化クロム（Ｃr２Ｏ3）、ニッケル酸化物（ＮiＯx）、イリジウム酸化物（ＩrＯ2）、マンガン酸化物（ＭｎＯ2）、水酸化ニッケルＮi（ＯＨ）2、五酸化タンタル（Ｔa２Ｏ5）またはヘキサシアノ鉄ＩＩ酸鉄ＩＩＩ  Ｆｅ4[Ｆe（ＣＮ）6]3より組み合わせた陽極変色遷移金属元素酸化物グループのいずれかを選択できることを特徴とする請求項５記載の２Ｄ／３Ｄ映像切換え表示装置。
【請求項７】
前記電気変色層の部材は、酸化タングステン（ＷＯ3）、酸化モリブデン（ＭｏＯ3）、酸化ニオブ（Ｎb2Ｏ3）、酸化チタン（ＴｉＯ2）、チタン酸ストロンチウム（ＳｒＴｉＯ3）または五酸化タンタル（Ｔａ2Ｏ5）より組み合わせた陰極変色遷移金属元素酸化物グループのいずれかを選択できることを特徴とする請求項５記載の２Ｄ／３Ｄ映像切換え表示装置。
【請求項８】
前記電気変色層の部材は、酸化バナジウム（Ｖ2Ｏ5）、酸化ロジウム（Ｒｈ2Ｏ3）または酸化コバルト（ＣｏＯx）より組み合わせる陰／陽極変色遷移金属元素酸化物のいずれかを選択できることを特徴とする請求項５記載の２Ｄ／３Ｄ映像切換え表示装置。
【請求項９】
前記電解質層は液体状態の電解質または固体状態の電解質であることを特徴とする請求項１記載の２Ｄ／３Ｄ映像切換え表示装置。
【請求項１０】
前記電解質層は固体状態の電解質であり、イオノマー膜、有機／無機イオンハイブリッド膜または高分子とオキソ酸膜より組み合わせた水素イオン交換膜グループのいずれかを選択できることを特徴とする請求項９記載の２Ｄ／３Ｄ映像切換え表示装置。
【請求項１１】
前記電解質層の部材は水素イオン交換膜であり、ペルフルオロスルホン酸重合膜であることを特徴とする請求項１０記載の２Ｄ／３Ｄ映像切換え表示装置。
【請求項１２】
前記第１透明基板下部の表面はさらに前記電気変色層と同じ配列方向に、複数に間隔配列して前記第１透明導電素子を設け、配列方向は水平または垂直であることを特徴とする請求項１記載の２Ｄ／３Ｄ映像切換え表示装置。
【請求項１３】
前記第２透明基板上部の表面はさらに前記電気変色層と同じ配列方向に、複数に間隔配列して前記第２透明導電素子を設け、配列方向は水平または垂直であることを特徴とする請求項１記載の２Ｄ／３Ｄ映像切換え表示装置。
【請求項１４】
前記第１透明基板下部の表面はさらに、複数に間隔配列して前記第１透明導電素子を設け、前記第２透明基板上部の表面はさらに、複数に間隔配列して前記第２透明導電素子を設け、前記第１、第２透明導電素子は前記電気変色層と同じの配列方向であり、配列方向は水平または垂直であることを特徴とする請求項１記載の２Ｄ／３Ｄ映像切換え表示装置。
【請求項１５】
前記電解質層は複数に間隔配列して前記第１透明導電素子と前記電気変色層との間に設け、前記電気変色層と同じ方向に配列し、配列方向は水平または垂直であることを特徴とする請求項１記載の２Ｄ／３Ｄ映像切換え表示装置。
【請求項１６】
前記電気変色層は、陽極変色、陰極変色、または陰／陽極変色より組み合わせた遷移金属元素酸化物グループまたは有機化合物のいずれかを選択できることを特徴とする請求項１５記載の２Ｄ／３Ｄ映像切換え表示装置。
【請求項１７】
前記電気変色層の部材は、酸化クロム（Ｃｒ2Ｏ3）、ニッケル酸化物（ＮｉＯｘ）、イリジウム酸化物（ＩrＯ2）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆｅ4[Ｆe（ＣＮ）6]3より組み合わせた陽極変色遷移金属元素酸化物グループのいずれかを選択できることを特徴とする請求項１６記載の２Ｄ／３Ｄ映像切換え表示装置。
【請求項１８】
前記電気変色層の部材は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）または五酸化タンタル（Ｔａ2Ｏ5）より組み合わせた陰極変色遷移金属元素酸化物グループのいずれかを選択できることを特徴とする請求項１６記載の２Ｄ／３Ｄ映像切換え表示装置。
【請求項１９】
前記電気変色層の部材は、酸化バナジウム（Ｖ2Ｏ5）、酸化ロジウム（Ｒｈ2Ｏ3）または酸化コバルト（ＣｏＯｘ）より組み合わせた陰／陽極変色遷移金属元素酸化物グループのいずれかを選択できることを特徴とする請求項１６記載の２Ｄ／３Ｄ映像切換え表示装置。
【請求項２０】
さらに、第1透明導電素子と電解質層との間に保護層を設け、前記保護層は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）その他炭素―ケイ素酸化フィルム等より選択されることを特徴とする請求項１記載の２Ｄ／３Ｄ映像切換え表示装置。
【請求項２１】
さらに、複数の前記電気変色層と電解質層との間に保護層を設けられ前記保護層は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）その他炭素―ケイ素酸化フィルム等より選択されることを特徴とする請求項１記載の２Ｄ／３Ｄ映像切換え表示装置。
【請求項２２】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた前記第１透明基板と、
前記第１透明基板に対応する片表面には第２透明導電素子が設けられ、他の表面は前記映像表示部の表面に結合するに用いる第２透明基板と、
前記第１透明基板下部の表面に所定の間隔おきに配列された複数の第１電気変色層と、
前記第１透明基板上部の表面に所定の間隔おきに配列された複数の第２電気変色層と、
前記第１電気変色層と前記第２電気変色層との間に設けられた電解質層とを備え、
前記第１電気変色層上部における当該第２電気変色層の配列方向は、当該第１電気変色層の配列方向を一致させ、並びに前記第１、２電気変色層は、前記第１、第２透明導電素子の電気導通によって色変化され、
前記電解質層は前記第１電気変色層と前記第２電気変色層との間に設けることを特徴とする、２Ｄ／３Ｄ映像切り換え表示装置。
【請求項２３】
前記映像表示部はたとえば、液晶表示装置、プラズマディスプレイパネル、表面伝導電子エミッタディスプレイ、フィールドエミッションディスプレイ、真空蛍光表示装置、有機発光ダイオード表示装置または電子ペーパーのいずれであることを特徴とする請求項２２記載の２Ｄ／３Ｄ映像切換え表示装置。
【請求項２４】
前記第１透明基板と前記第２透明基板の部材はプラスチック、高分子プラスチック、ガラスまたは樹脂、ポリエチレンテレフタレート、ポリカーボネート、ポリエチレン、ポリ塩化ビニル、ポリプロピレン、ポリスチレン、ポリメタクリル酸メチルまたはこれらの混合物からなるプラスチック重合体のいずれかを選択できることを特徴とする請求項２２記載の２Ｄ／３Ｄ映像切換え表示装置。
【請求項２５】
前記第１電気変色層を前記第１透明基板の下部表面に設置するときと、前記第２電気変色層を前記第２透明基板の上部表面に設置するときは、ゾルゲル法、真空スパッタリング法、電気めっき法、レーザー蝕刻法のいずれかを選択できることを特徴とする請求項２２記載の２Ｄ／３Ｄ映像切換え表示装置。
【請求項２６】
前記第１、第２電気変色層の部材は、陽極変色、陰極変色または陰／陽極変色より組み合わせた遷移金属元素酸化物グループまたは有機化合物のいずれかを選択できることを特徴とする請求項２２記載の２Ｄ／３Ｄ映像切換え表示装置。
【請求項２７】
前記第１、第２電気変色層の部材は、酸化クロム（Ｃｒ2Ｏ3）、ニッケル酸化物（ＮｉＯｘ）、イリジウム酸化物（ＩｒＯ2）、マンガン酸化物（ＭｎＯ2）、水酸化ニッケルＮｉ（ＯＨ）2、五酸化タンタル（Ｔａ2Ｏ5）またはヘキサシアノ鉄ＩＩ酸鉄ＩＩＩ  Ｆｅ4[Ｆｅ（ＣＮ）6]より組み合わせた陽極変色遷移金属元素酸化物グループのいずれかを選択できることを特徴とする請求項２６記載の２Ｄ／３Ｄ映像切換え表示装置。
【請求項２８】
前記第１、第２電気変色層の部材は、酸化タングステン（ＷＯ3）、酸化モリブデン（ＭｏＯ3）、酸化ニオブ（Ｎb２Ｏ3）、酸化チタン（ＴｉＯ2）、チタン酸ストロンチウム（ＳrＴｉＯ3）または五酸化タンタル（Ｔａ2Ｏ5）より組み合わせた陰極変色遷移金属元素酸化物グループのいずれかを選択できることを特徴とする請求項２６記載の２Ｄ／３Ｄ映像切換え表示装置。
【請求項２９】
前記第１、第２電気変色層の部材は、酸化バナジウム（Ｖ2Ｏ5）、酸化ロジウム（Ｒｈ2Ｏ3）または酸化コバルト（ＣｏＯｘ）より組み合わせた陰／陽極変色遷移金属元素酸化物のいずれかを選択できることを特徴とする請求項２６記載の２Ｄ／３Ｄ映像切換え表示装置。
【請求項３０】
前記電解質層は液体状態の電解質または固体状態の電解質であることを特徴とする請求項２２記載の２Ｄ／３Ｄ映像切換え表示装置。
【請求項３１】
前記電解質層は固体状態の電解質であり、イオノマー膜、有機／無機イオンハイブリッド膜または高分子とオキソ酸膜より組み合わせた水素イオン交換膜グループのいずれかを選択できることを特徴とする請求項３０記載の２Ｄ／３Ｄ映像切換え表示装置。
【請求項３２】
前記電解質層の部材は水素イオン交換膜であり、ペルフルオロスルホン酸重合膜であることを特徴とする請求項３１記載の２Ｄ／３Ｄ映像切換え表示装置。
【請求項３３】
前記電解質層は、前記第１、第２電気変色層と同じ配列方向により、複数に間隔配列して前記前記第１、第２電気変色層の間に設け、配列方向は水平または垂直であることを特徴とする請求項２２記載の２Ｄ／３Ｄ映像切換え表示装置。
【請求項３４】
さらに、前記保護層を有し、前記保護層の部材は二酸化ケイ素（ＳｉＯ2）、酸化アルミニウム（Ａｌ2Ｏ3）、テトラメチルジシロキサン（Ｃ4Ｈ14ＯＳｉ2）、または前記第１導電素子と第1電解質層、および前記第2透明導電素子と前記第2電解質層の間に設ける炭素―ケイ素酸化フィルムであることを特徴とする請求項２２記載の２Ｄ／３Ｄ映像切換え表示装置。
【請求項３５】
さらに、前記保護層を有し、前記保護層の部材は二酸化ケイ素（ＳｉＯ2）、酸化アルミニウム（Ａｌ2Ｏ3）、テトラメチルジシロキサン（ＴＭＤＳＯ，Ｃ4Ｈ14ＯＳｉ2）、または複数の前記第１電気変色層と第1電解質層、および複数の前記電気変色層と前記第2電解質層の間に設ける炭素―ケイ素酸化フィルムであることを特徴とする請求項２２記載の２Ｄ／３Ｄ映像切換え表示装置。
【請求項３６】
映像表示部と、映像切換え部とを備えた２Ｄ／３Ｄ映像切換え表示装置であって、
前記映像表示部は、平面映像と立体映像の表示に用いられ、
前記映像表示部の表面に結合された前記映像切り換え部は、
表面に第１透明導電素子を備えた第１透明基板と、
前記第１透明基板に対応する片表面には第２透明導電素子が設けられ、他の表面は前記映像表示部の表面に結合するに用いる前記第２透明基板と、
前記第１透明基板の下部表面に設ける第１電解質層と、
第１方向により、前記第１電解質層下部の表面に所定の間隔おきに配列された複数の第１電気変色層と、
前記第２透明基板の上部表面に設ける第２電解質層と、
第２配列方向により、前記第２電解質層下部の表面に所定の間隔おきに配列された複数の第２電気変色層と、
前記第１、第２電気変色層との間に設けられ、前記第１透明導電素子と前記第２透明導電素子とを電気導通された第３透明導電層と、を備え、
前記第１電気変色層は前記第１透明導電素子と、前記第３透明導電層との電気導通によって、色変化を引き起し、前記第２電気変色層は前記第２透明導電素子と前記第３透明導電層との電気導通によって、色変化することを特徴とする、２Ｄ／３Ｄ映像切り換え表示装置。
【請求項３７】
前記第３透明導電層に第３透明基板を備え、前記第３透明基板の上部表面に前記第３透明導電素子を設けることを特徴とする請求項３６記載の２Ｄ／３Ｄ映像切換え表示装置。
【請求項３８】
前記第３透明導電層に第３透明基板を設け、前記第３透明基板の下部表面に前記第３透明導電素子を設けることを特徴とする請求項３６記載の２Ｄ／３Ｄ映像切換え表示装置。
【請求項３９】
前記第３透明導電層に第３透明基板を設け、前記第３透明基板の上部表面に前記第３透明導電素子を設けられ、前記第３透明基板の下部表面に第４透明導電素子を設けられ、前記第１電気変色層は前記第１透明導電素子と前記第３透明導電素子との電気導通により変色を引き起し、前記第２電気変色層は前記第３透明導電素子と前記第４透明導電素子との電気導通により変色を引き起こすことを特徴とする請求項３６記載の２Ｄ／３Ｄ映像切換え表示装置。
【請求項４０】
前記第１配列方向と前記第２配列方向は互いに垂直することを特徴とする請求項３６記載の２Ｄ／３Ｄ映像切換え表示装置。
【請求項４１】
前記第１電解質層は複数に間隔配列して、前記第１電気変色層と前記第１透明導通層との間に設け、前記第１電気変色層と同じ配列方向であることを特徴とする請求項３６記載の２Ｄ／３Ｄ映像切換え表示装置。
【請求項４２】
前記第１電解質層の部材は、陽極変色、陰極変色または陰／陽極変色より組み合わせた遷移金属元素酸化物グループまたは有機化合物のいずれかを選択できることを特徴とする請求項４１記載の２Ｄ／３Ｄ映像切換え表示装置。
【請求項４３】
前記第２電解質層は複数に間隔配列して、前記第２電気変色層と前記第２透明導通層との間に設け、前記第２電気変色層と同じ配列方向であることを特徴とする請求項３６記載の２Ｄ／３Ｄ映像切換え表示装置。
【請求項４４】
前記第２電解質層の部材は、陽極変色、陰極変色または陰／陽極変色より組み合わせた遷移金属元素酸化物グループまたは有機化合物のいずれかを選択できることを特徴とする請求項４３記載の２Ｄ／３Ｄ映像切換え表示装置。
【請求項４５】
センサー素子と制御素子とをさらに備え、前記センサー素子と前記制御素子は互いに電気導通され、前記制御素子はそれぞれ前記第１透明導電素子と、前記第２透明導電素子と、前記第３透明導電素子とを電気導通され、前記センサー素子は前記表示装置の回転方向を検出し、検出信号を前記制御素子に伝送した後、前記制御素子によって前記２つの前記透明導電素子の電圧を切換え、前記第１電気変色層と前記第２電気変色層の状態を切り換えて変色させることを特徴とする請求項３６記載の２Ｄ／３Ｄ映像切換え表示装置。
【請求項４６】
前記センサー素子はジャイロスコープであることを特徴とする請求項４５記載の２Ｄ／３Ｄ映像切換え表示装置。
【請求項４７】
前記第１電気変色層が変色するときに、前記第２電気変色層は褪色され、前記第１電気変色層が褪色するときに、前記第２電気変色層は変色されることを特徴とする請求項３６記載の２Ｄ／３Ｄ映像切換え表示装置。
【請求項４８】
立体映像表示を平面映像表示に切り換えたとき、前記第１電気変色層と前記第２電気変色層とも褪色反応することを特徴とする請求項３６記載の２Ｄ／３Ｄ映像切換え表示装置。